(57)【特許請求の範囲】
【請求項１】
長方形六面体からなる本体の前面には多数の客室を表示するスクリーンが設けられ、前記本体の内部には宿泊施設に必要な客室キーと使い捨て用品セットがそれぞれ収納された収納装置が備えられている客室キー自販機において、
前記収納装置は、本体の内部の一側にはキー収納装置、内部の他側には使い捨て用品収納装置がそれぞれ設けられ、前記各収納装置が各客室と１：１で対応する個別方式を取っており、
前記収納装置は、水平に長い収納胴体には客室キーと使い捨て用品セットがそれぞれ収納される多数の収納孔が設けられ、前記収納孔の下端の収納胴体には前記収納孔を横断する方向に弾力的に突出した可動ロッドを有するソレノイドが取り付けられ、前記スクリーンをタッチして客室を選択することにより、前記可動ロッドを有するソレノイドが機能して、当該客室の客室キーと当該客室の使い捨て用品セットが、前記本体に設けられた排出口より排出されることを特徴とする、客室キー自販機。
【請求項２】
前記収納孔の形状は、キー収納装置の場合には、カードキーだけでなく、リングを介してキーが連結されたキータグを収納することができるように、両端から中央へ行くほど段階的に拡張された階段拡張形をすることを特徴とする、請求項１に記載の客室キー自販機。
【請求項３】
前記本体は、その内部の各収納装置に客室キーまたは使い捨て用品セットを容易に満たすことができるようにするために、両側側面および前面が開閉されるようにそれぞれ側面ドアと前面ドアが設けられていることを特徴とする、請求項１に記載の客室キー自販機。
【請求項４】
前記スクリーンは、宿泊施設の客室層数と各層の客室個数だけ区画分割されてそれぞれの分割区画ごとに宿泊施設の層と客室に該当するイメージを表示し、使用者が所定イメージの客室をタッチして選択すると、全体画面のイメージに拡張され、しかる後に、休憩料金または宿泊料金を支払うと、収納装置内の客室キーおよび使い捨て用品セットを吐き出す、タッチスクリーン方式のＰＣ機能付きＴＶとして設けられたことを特徴とする、請求項１に記載の客室キー自販機。
【請求項５】
前記スクリーンは、スクラッチが発生しない高強度の強化ガラスを採用したことを特徴とする、請求項４に記載の客室キー自販機。
【発明の詳細な説明】
【技術分野】
【０００１】
本発明は、宿泊施設の客室キー自販機に係り、より詳しくは、客室キーおよび使い捨て用品収納装置が各客室と１：１で対応する個別方式を取り、使用者が選択した客室に該当する収納装置のキーおよび使い捨て用品セットが吐き出される構造となっており、前面には宿泊施設の各層および各号別に区画分割されて各号室のイメージを表示するＰＣ機能付きＴＶが設けられ、使用者が所定のイメージの客室をタッチして選択すると、全体画面のイメージに拡張され、しかる後に、休憩料金または宿泊料金を支払うと、客室キーおよび使い捨て用品セットを吐き出す、客室キー自販機に関する。
【背景技術】
【０００２】
最近、大部分の宿泊施設に対して管理者の数を最小化し自動化する趨勢を見せている。このような無人化または自動化に伴い、宿泊施設の効果的な管理システムが求められる。この管理システムを実現するためには、客室キーまたは客室の使い捨て用品セットだけでなく、これらの全てを販売する自販機の設置が必須的である。
【０００３】
このような技術に関連した自販機からのキー吐き出し装置としては様々なものが提示されているが、それらの中から幾つかを抜粋して簡略に説明する。
【０００４】
例えば、韓国特許１０−０６３４３４３は、駆動モーターによって回転軸が連動し、前記回転軸のカム構造によって移動部材が軸の長手方向に移動し、前記移動部材の移動線上には多数のキーを収納することが可能なキー収納部が設けられていることを特徴とする技術が開示されている。
【０００５】
前記特許技術は、回転軸の回転によって移動する移動部材にかかる一番目のキーをランダムに吐き出すものであって、宿泊客が所望する任意の客室キーを吐き出すことができないため、宿泊客が客室を選択する宿泊施設には適用することができなく、特に故障が発生したら客室キー自販機全体を使用することができないという致命的な問題点があった。
【０００６】
韓国公開特許１０−２００５−０１１５８３１の図４〜図６には、モーターによって連動するガイドスクリューのピッチごとに客室キーを介在させ、或いはモーターによって連動するようにエンドレスベルトを設け、さらに押板を設けることにより、積載箱に積載された使い捨て用品またはその他の商品を一つずつ吐き出すことを特徴とする技術が開示されている。
【０００７】
前述した公開特許も、ガイドスクリューまたは積載箱に積載された順に単に一つずつ吐き出すものであって、宿泊客が任意に客室を選択することが可能な宿泊施設の客室キー自販機には適用することができず、特に故障が発生したら客室キー自販機全体を使用することができないという致命的な問題点があった。
【先行技術文献】
【特許文献】
【０００８】
【特許文献１】韓国特許１０−０６３４３４３
【特許文献２】韓国公開特許１０−２００５−０１１５８３１
【発明の概要】
【発明が解決しようとする課題】
【０００９】
本発明は、かかる従来の諸般弊害および問題点を解決するために研究開発したもので、その目的は、内部の一側にはキー収納装置、内部の他側には使い捨て用品収納装置がそれぞれ設けられるが、前記各収納装置が各客室と１：１で対応する個別方式を取ることにより、使用者が選択した客室に該当する収納装置のキーと使い捨て用品セットが吐き出され、これにより、収納装置のいずれか一部分に故障が発生したら全体的に使用することができない既存の自販機とは異なり、故障の発生した客室を除いた残りは使用することができるため、効果的な管理が行われるようにした、客室キー自販機を提供することにある。
本発明の他の目的は、両側側面および前面が開閉されるようにそれぞれドアを設けることにより、設置場所を問わず、各収納装置に客室キーと使い捨て用品セットを満たすことができ、故障修理の際にも容易に対処することができるようにした、客室キー自販機を提供することにある。
本発明の別の目的は、タッチスクリーン方式のＰＣ機能付きＴＶに宿泊施設の客室層数と各層の客室個数だけ区画分割するが、それぞれの分割区画ごとに宿泊施設の層と客室に該当するイメージを表示し、使用者が所定イメージの客室をタッチして選択すると、全体画面のイメージに拡張され、しかる後に、休憩料金または宿泊料金を支払うと、客室キーおよび使い捨て用品セットを吐き出すようにした、客室キー自販機を提供することにある、
【課題を解決するための手段】
【００１０】
上記目的を達成するために、本発明は、長方形六面体からなる本体の前面には多数の客室を表示するスクリーンが設けられ、前記本体の内部には宿泊施設に必要な客室キーと使い捨て用品セットがそれぞれ収納された収納装置が備えられている客室キー自販機において、前記収納装置は、本体の内部の一側にはキー収納装置、内部の他側には使い捨て用品収納装置がそれぞれ設けられ、前記各収納装置が各客室と１：１で対応する個別方式を取っていることを特徴とする、客室キー自販機を提供する。
【００１１】
本発明に係る客室キー自販機において、前記収納装置は、水平に長い収納胴体には客室キーまたは使い捨て用品セットが収納される多数の収納孔が設けられ、前記収納孔の下端の収納胴体には前記収納孔を横断する方向に弾力的に突出した可動ロッドを有するソレノイドが取り付けられていることを特徴とする。
【００１２】
前記収納孔の形状は、キー収納装置の場合には、カードキーだけでなく、リングを介してキーが連結されたキータグ（ｋｅｙ  ｔａｇ）を収納することができるように、両端から中央へ行くほど段階的に拡張された階段拡張形をし、使い捨て用品収納装置の場合には、長方形をしていることが好ましい。
【００１３】
本発明に係る客室キー自販機において、前記本体は、その内部の各収納装置に客室キーまたは使い捨て用品セットを容易に満たすことができるようにするために、両側側面および前面が開閉されるようにそれぞれ側面ドアと前面ドアが設けられていることを特徴とする。
【００１４】
本発明に係る客室キー自販機において、前記スクリーンは、宿泊施設の客室層数と各層の客室個数だけ区画分割されてそれぞれの分割区画ごとに宿泊施設の層と客室に該当するイメージを表示し、使用者が所定イメージの客室をタッチして選択すると、全体画面のイメージに拡張され、しかる後に、休憩料金または宿泊料金を支払うと、収納装置内の客室キーと使い捨て用品セットを吐き出す、タッチスクリーン方式のＰＣ機能付きＴＶとして設けられたことを特徴とする。
【発明の効果】
【００１５】
本発明に係る客室キー自販機は、内部の一側にはキー収納装置、内部の他側には使い捨て用品収納装置がそれぞれ設けられるが、前記各収納装置が各客室と１：１で対応する個別方式を取ることにより、使用者が選択した客室に該当する収納装置のキーと使い捨て用品セットが吐き出され、これにより、収納装置の一部分に故障が発生したら全体的に使用することができない既存の客室キー自販機とは異なり、故障の発生した客室を除いた残りは使用することができるため、効果的な管理がなされるという効果がある。
【００１６】
また、本発明は、自販機の本体に両側側面および前面が開閉されるようにそれぞれドアを設けることにより、設置場所を問わず、各収納装置に客室キーと使い捨て用品セットを満たすことができ、故障修理の際にも容易に対処することができる。
【００１７】
また、本発明は、タッチスクリーン方式のＰＣ機能付きＴＶの画面を宿泊施設の客室層数と各層の客室個数だけ区画分割するが、それぞれの分割区画ごとに宿泊施設の層と客室に該当するイメージを表示し、使用者が所定イメージの客室をタッチして選択すると全体画面のイメージに拡張され、しかる後に、休憩料金または宿泊料金を支払うと客室キーおよび使い捨て用品セットを吐き出すという効果がある。
【図面の簡単な説明】
【００１８】
【図１】本発明に係る客室キー自販機を概略的に示す斜視図である。
【図２】本発明に係る客室キー自販機を示す正面図である。
【図３】本発明に係る客室キー自販機の内部構造図である。
【図４】図３の側面から眺めた状態の内部構造図である。
【図５】図３の側面から眺めた状態の内部構造図である。
【図６】本発明の客室キー自販機から客室キー収納装置の一部を抜粋して示す斜視図である。
【図７】図６の客室キー収納装置の横断面図である。
【図８】図６の客室キー収納装置の正面図である。
【図９】本発明の客室キー自販機から使い捨て用品収納装置の一部を抜粋して示す斜視図である。
【発明を実施するための形態】
【００１９】
以下、本発明の客室キー自販機を添付図面に基づいて詳細に説明する。
図１〜図９は本発明に係る客室キー自販機を説明するために示す図である。
図示の如く、本発明に係る客室キー自販機は、長方形六面体からなる本体１０の前面には多数の客室を示すスクリーン１２が設けられており、前記本体１０の内部には宿泊施設に必要な客室キーｋと使い捨て用品セットｓがそれぞれ収納された収納装置２０が備えられている。前記使い捨て用品セットｓは、小型ボックス内に歯磨き、歯ブラシ、かみそりなどを収納したものである。
前記スクリーン１２は、タッチスクリーン方式のＰＣ機能付きＴＶとして設けられることが好ましい。その理由は、宿泊施設の客室層数と各層の客室個数だけ区画分割されてそれぞれの分割区画ごとに宿泊施設の層と客室に該当するイメージを表示し、投宿しようとする使用者が所定イメージの客室をタッチして選択すると、全体画面のイメージに拡張され、しかる後に、休憩料金または宿泊料金を支払うと、収納装置２０内の客室キーｋと使い捨て用品セットｓを吐き出すように管理システムと連動させ易いからである。
また、前記スクリーン１２は、宿泊客が随時タッチするものであるので、スクラッチなどが発生しない高強度の強化ガラスを採用することが好ましい。
前記収納装置２０は、本体１０の内部の一側にはキー収納装置２０ａ、内部の他側には使い捨て用品収納装置２０ｂがそれぞれ設けられ、前記各収納装置２０ａ、２０ｂが各客室と１：１で対応する個別方式を取っている。
【００２０】
前記収納装置２０は、水平に長い収納胴体２１には客室キーｋまたは使い捨て用品セットｓが収納される多数の収納孔２２が設けられ、前記収納孔２２の下端の収納胴体２１には弾力的に設置された可動ロッド２４を有するソレノイド２３が取り付けられるが、このソレノイド２３の可動ロッド２４は前記収納孔２２を横断するように設置され、その上部の収納胴体２１には収納孔２２に客室キーｋまたは使い捨て用品セットｓが収納されているか否かを感知するためのセンサー２５が設けられている。
【００２１】
前記収納装置２０のうち、キー収納装置２０ａの収納孔２２は、カードキーだけでなく、リングを介してキーが連結されたキータグ（ｋｅｙ  ｔａｇ）を収納することができるように、両端から中央へ行くほど段階的に拡張された階段拡張形をしている。
前記使い捨て用品収納装置２０ｂは、使い捨て用品をボックス内に入れてセット化したものであるので、長方形をしている。
前記本体１０は、その内部の各収納装置２０に客室キーｋまたは使い捨て用品セットｓを容易に満たすことができるようにするために、両側側面および前面が開閉されるようにそれぞれドアが設けられるが、両側側面に設けられたドアを側面ドア１３とし、前面に設けられたドアを前面ドア１４とする。
また、前記本体１０の前面ドア１４の一側には、利用料金を投入すると、これを認識して受け取り、おつりを返すことが可能な金銭収納機１５が設けられており、前記前面ドア１４の下部には、カードキーｋと使い捨て用品セットｓを取り出すことが可能な取出口１６が設けられており、前記本体１０内の各収納装置２０の下部にはカードキーｋと使い捨て用品セットｓを取出口１７へ案内する案内板１８が設けられている。
前記本体１０の前面ドア１４には、作動エラーや誤使用などにより管理者と通話するためのインターホン１９が設けられている。
次に、このように構成された本発明に係る客室キー自販機の動作過程について説明する。
まず、本発明の設置場所に応じて本体１０の側面ドア１３または前面ドア１４を開放させ、キー収納装置２０ａと使い捨て用品収納装置２０ｂを成す収納胴体２１の収納孔２２にそれぞれ客室キーｋと使い捨て用品セットｓを収納し、本体１０の側面ドア１３または前面ドア１４を全て閉じる。
この際、前記収納胴体２１の下端のソレノイド２３には電源が印加されない状態であるから、可動ロッド２４はその内部のバネによって突出するので、収納胴体２１の収納孔２２を横断する方向に突出しており、これにより前記収納胴体２１の収納孔２２に引き込まれる客室キーｋと使い捨て用品セットｓは収納保管される状態である。
このようにそれぞれの収納装置２０に客室キーｋと使い捨て用品セットｓが収納されると、収納胴体２１のセンサー２５がこれを感知し、管理システム（図示せず）に収納保管されたという信号を伝送する。
このような状態で前面ドア１４のスクリーン１２が宿泊施設の全体客室個数だけ区画分割されるが、例えば、４層の宿泊施設であって各層別に８つの客室があると仮定すれば、スクリーン１２が４層に分割され、このように分割された各層ごとに８つの客室に分けて合計３２個の客室に分割されている。
このように分割されたスクリーン１２には、各客室に該当する客室イメージが出力されているが、宿泊施設に泊まろうとする宿泊客がスクリーン１２上のいずれか一つの客室をタッチして選択すると、選択した客室のイメージがスクリーン１２の全体サイズに拡張される。ここで、休憩または宿泊を選択すると、前記選択に相応する利用料が案内または表示される。
このようにスクリーン１２の文字案内または音声案内に従って、宿泊客が本体１０の前面に設けられた金銭収納機１５としての紙幣認識機に利用料を投入する。このように客室の利用料を投入すると、おつりがある場合、紙幣放出口を介しておつりを放出するので、宿泊客はこれを取り出せばよい。
このように客室利用料を支払うと、各収納装置２０の収納胴体２１に設置されたソレノイド２３のうち、宿泊客が選択した客室に該当するソレノイド２３に電源が印加されるので、前記ソレノイド２３の可動ロッド２４が引き込まれ、これにより収納胴体２１の収納孔２２に収納されている客室キーｋと使い捨て用品セットｓが下部に落下する。
このように落下する客室キーｋと使い捨て用品セットｓは、収納胴体２１の下部へ案内板１８に沿って案内下降し、その下部の取出口１７に集められる。この際、宿泊客は取出口１７から客室キーｋと使い捨て良品セットｓを取り出した後、宿泊客が選択した客室のドアを前記客室キーｋで開いて入室することができる。
このように宿泊客が泊まっている客室は、イメージの色相が変わるなど、「使用中」という表示が行われ、選択が不可能である。
使用途中で各収納装置２０のうちいずれか一つの収納装置のソレノイド２３が故障し或いは収納孔２２内の客室キーｋまたは使い捨て用品セットｓが取り出されなければ、故障または不良と判断して管理システムの管理者に通報する。このような故障または不良が発生すると、収納装置２０が個別方式で設けられたものであって、故障したソレノイド２３に該当する客室一つのみを使用することができないだけであり、他の客室は使用することができるため、宿泊施設の利用率が高く、効率のよい管理が可能である。
【産業上の利用可能性】
【００２２】
本発明は、ホテルなどの宿泊施設に設置され、客室の選択、利用料金の収納、並びに客室キーおよび投宿に必要な使い捨て用品の至急に必要な人力、すなわち管理者の数を最小化しようとする分野に有用に利用可能である。
【図１】
0005517080.tif 000002
【図２】
0005517080.tif 000003
【図３】
0005517080.tif 000004
【図４】
0005517080.tif 000005
【図５】
0005517080.tif 000006
【図６】
0005517080.tif 000007
【図７】
0005517080.tif 000008
【図８】
0005517080.tif 000009
【図９】
0005517080.tif 000010